(57)【要約】【課題】製造コストを抑え、厚めのシート片をその素材感を損なわずに収納した付加価値の高いトレーディングカードを製造し、市場に提供する。【解決手段】外側カード用シートを用意する工程と、外側カード用シートと略同サイズであり、略中央に折り線を有し、折り線の一方の側に物品収納部が形成され、中間カード用シートを外側カード用シートに接着する工程と、前記中間カード片の物品収納部に物品を収納した後、前記中間カード用シートの中心線で、谷折りにし、対向する中間カード片同士を接着する工程と、折り曲げ部分を切除する工程により製造する。【選択図】図４
2008080705.tif 000002
【特許請求の範囲】
【請求項１】
窓を有する第一外側カード片、物品収納部を有する中間カード片、第二外側カード片が、この順に積層されてなり、前記物品収納部には物品が収納されてなるトレーディングカードの製造方法において、
第一外側カード片と第二外側カード片が折り線を介して連接され、その一方の面に接着面を有する外側カード用シートを用意する工程と、
外側カード用シートと略同サイズであり、略中央に折り線を有し、折り線の一方の側に物品収納部が形成され、両面に接着面を有する中間カード用シートを外側カード用シートの前記接着面側に接着する工程と、
前記中間カード片の物品収納部に物品を収納した後、前記中間カード用シートの前記折り線で、谷折りにし、対向する中間カード片同士を接着する工程と、
折り曲げ部分を切除する工程により
製造することを特徴とするトレーディングカードの製造方法。
【請求項２】
窓を有する第一外側カード片、物品収納部を有する中間カード片、窓を有する第二外側カード片が、この順に積層されてなり、前記物品収納部には物品が収納されてなるトレーディングカードの製造方法において、
第一外側カード片と第二外側カード片が折り線を介して連接され、その一方の面に接着面を有する外側カード用シートを用意する工程と、
外側カード用シートと略同サイズであり、略中央に折り線を有し、折り線の一方の側に物品収納部が形成され、両面に接着面を有する中間カード用シートを外側カード用シートの前記接着面側に接着する工程と、
前記中間カード片の物品収納部に物品を収納した後、前記中間カード用シートの前記折り線で、谷折りにし、対向する中間カード片同士を接着する工程と、
折り曲げ部分を切除する工程により
製造することを特徴とするトレーディングカードの製造方法。
【発明の詳細な説明】
【技術分野】
【０００１】
本発明は、芸能人（タレントやアイドルなど）、キャラクター（コミックやアニメーションなど）、スポーツ選手（プロ野球、サッカー、相撲、プロレス、女子プロレスなど）、テレビゲームを印刷したカードであって、コレクター（愛好家・収集家）が専門店（ショップ）などで購入したり、或いは手に入りにくいものをコレクター同士で交換（トレード）したり、オークションで入手するために競ったりするいわゆるトレーディングカード市場において、その流通数量が少ないプレミア性の高いトレーディングカードの製造方法に関するものである。
【背景技術】
【０００２】
１９９０年代より日本において普及しだしたトレーディングカードのうち、カード販売メーカーが、意図的・計画的に出現率を減らしたトレーディングカードがある。一般的なトレーディングカードは「レギュラーカード」と呼ばれるのに対し、これらのトレーディングカードは「インサートカード」、「スペシャルカード」などと呼ばれる。以下、「インサートカード」と呼ぶ。
「インサートカード」とは、主に金銀の箔を押したり、ホログラムを付けたり、ナンバリングなどをするなどをし、レギュラーカードとは別の加工が施されたものである。
【０００３】
また、「インサートカード」には、和紙、木やプラスチックなどの素材を使うことで差別化を図ったものもある。
【０００４】
さらに、「インサートカード」には、高い付加価値を持つものとして、トレーディングカードのモチーフとなった人物の直筆サイン入り、キスマーク付き、その人物がまとったとされる衣装（ユニフォームや水着など）の断片、野球選手のバット、グラブ、ミットを薄片にしたもの、野球選手が踏んだ（ホ−ム、１〜３塁）ベースを薄片にしたもの、映画のフィルムの一部などを封入したトレーディングカードも存在し、主に「メモラビリアカード」などと呼ばれるものがある。
【０００５】
これらのトレーディングカードはプレミアム性が高く、コレクターにとって特に収集意欲を持たせるものである。
【０００６】
公知文献を以下に示す。
【特許文献１】特許第３０７８５１１号公報
【特許文献２】特開２００２−７９７８１号公報
【特許文献３】登実第３０５９４７３号公報
【特許文献４】登実第３０６７３４２号公報
【特許文献５】登実第３０７８６８８号公報
【発明の開示】
【発明が解決しようとする課題】
【０００７】
特許文献１乃至５には、同サイズの第一外側カード片、中間カード片、第二外側カード片をそれぞれが貼り合わせ、前記中間カード片に開口部を設け、前記中間カード片の開口部の中に前記開口部と同サイズの外側カード片に表示された絵柄と関連のある物品をシート状にしたシート片を封入して形成されるトレーディングカードが開示されている。前記外側カード片、前記中間カード片とも同じ位置に窓、開口部を有し、前記中間カード片の開口部は、前記外側カード片の窓より一回り大きな開口を持ち、前記中間カード片の開口部をシート片の収納部としている。また、前記外側カード片の窓は片方のみで良いとの開示もある。前記シート片は前記中間カード片の開口部と略同じ大きさでもある。
通常、市場に流通しているレギュラーカードの厚みは、０．３〜０．５ミリ程度であり、当初プレミア性の高いトレーディングカードもこの厚みに押さえようとしていたが、最近、カード販売メーカーは、市場のカード内収容物のリアリティを求めるニーズを積極的に取り入れるようになり、収納部に閉じ込める物品も多種多様になり、当然その厚みも多種多様になってきた。そのため、トレーディングカードの厚みを収納物品に合わせようという動きがあり、本発明はこのような問題点を解決するトレーディングカードの製造方法である。その課題とするところは、厚めの物品を収納した付加価値の高いトレーディングカードを製造し、市場に提供することにある。
【課題を解決するための手段】
【０００８】
本発明は係る課題に鑑みなされたもので、請求項１記載の発明は、窓を有する第一外側カード片、物品収納部を有する中間カード片、第二外側カード片が、この順に積層されてなり、前記物品収納部には物品が収納されてなるトレーディングカードの製造方法において、第一外側カード片と第二外側カード片が折り線を介して連接され、その一方の面に接着面を有する外側カード用シートを用意する工程と、外側カード用シートと略同サイズであり、略中央に折り線を有し、折り線の一方の側に物品収納部が形成され、両面に接着面を有する中間カード用シートを外側カード用シートの前記接着面側に接着する工程と、
前記中間カード片の物品収納部に物品を収納した後、前記中間カード用シートの中心線で、谷折りにし、対向する中間カード片同士を接着する工程と、折り曲げ部分を切除する工程により製造することを特徴とするトレーディングカードの製造方法である。
【０００９】
請求項２記載の発明は、窓を有する第一外側カード片、物品収納部を有する中間カード片、窓を有する第二外側カード片が、この順に積層されてなり、前記物品収納部には物品が収納されてなるトレーディングカードの製造方法において、第一外側カード片と第二外側カード片が折り線を介して連接され、その一方の面に接着面を有する外側カード用シートを用意する工程と、外側カード用シートと略同サイズであり、略中央に折り線を有し、折り線の一方の側に物品収納部が形成され、両面に接着面を有する中間カード用シートを外側カード用シートの前記接着面側に接着する工程と、前記中間カード片の物品収納部に物品を収納した後、前記中間カード用シートの前記折り線で、谷折りにし、対向する中間カード片同士を接着する工程と、折り曲げ部分を切除する工程により製造することを特徴とするトレーディングカードの製造方法である。
【発明の効果】
【００１０】
本発明は、請求項1記載の発明によると、中間カード用シートを折り線で折り曲げて使用するので、容易に収納する物品の厚みが中間カード片の２倍の厚みのものまで収納できる。また、トレーディングカードの接着面が第一外側カード片と中間カード片、中間カード片と中間カード片、中間カード片と第二外側カード片の３面となるので、従来のトレーディングカードの接着面が２面に比べトレーディングカードの強度を上げることが容易にできる。
【００１１】
請求項２記載の発明は、請求項１記載の発明の第一、第二外側カード片、それぞれに窓を有するものを使用するものである。請求項１記載の発明の効果のほかに、窓が外側台紙の２面、つまり、トレーディングカードの両面にあるので、両面から収納したシート片を見ることができる。両面にある窓の位置、大きさなど変化させたり、収納部の位置をずらしたりすることによって、収納した収納片をいろいろな位置、大きさで見ることができる。
【発明を実施するための最良の形態】
【００１２】
以下に、図面を参照にして本発明の実施形態を説明する。
【実施例１】
【００１３】
本発明の一実施例を図１〜５に示している。
【００１４】
図１のトレーディングカード（Ｔ００）は、収納物品（Ｍ００）と開口部（Ｃ１３），（Ｃ２３）を有する中間カード用シート（Ｃ００）と窓（Ｓ１３）を有する外側カード用シート（Ｓ００）から形成される。
【００１５】
図２は、窓（Ｓ１３）を有する第１外側カード片（Ｓ１１）と第２外側カード片（Ｓ２１）が折り線（Ｓ３１）を介して連接され、前記第１外側カード片（Ｓ１１）の一方の面に接着面（Ｓ１２）と前記第２外側カード片（Ｓ２１）の一方の面に接着面（Ｓ２２）を有する外側カード用シート（Ｓ００）を用意する工程を示している。
【００１６】
図３は、外側カード用シート（Ｓ００）と略同サイズで、略中央に折り線（Ｃ３１）を有し、両面に接着面（Ｃ１１），（Ｃ１２），（Ｃ２１），（Ｃ２２）を有する中間カード用シート（Ｃ００）の前記接着面（Ｃ１１）と前記接着面（Ｃ２１）を有する面と外側カード用シートの前記接着面（Ｓ１２）と前記接着面（Ｓ２２）を接着する工程を示している。窓（Ｓ１３）を有する物品収納部（Ｂ１１）と物品収納部（Ｂ２１）が形成される。
略物品収納部と同サイズの物品（Ｍ００）は、物品収納部（Ｂ１１）または、物品収納部（Ｂ２１）に収納する。図３は、前記物品（Ｍ００）を物品収納部（Ｂ２１）に収納した例を示している。
【００１７】
図４は、折り線（Ｃ３１）で谷折して、前記接着面（Ｃ１２）と前記接着面（Ｃ２２）を接着した状態を示している。
【００１８】
図５は、図４の折り線（Ｃ３１）付近の折り曲げ部分を切除して完成した実施例１のトレーディングカード（Ｔ００）の断面図を示している。なお、物品収納部に収納する前記物品（Ｍ００）は、前記外側カード用シート（Ｓ００）の絵柄と関連のあるものである。例えば、絵柄として、プロ野球選手の場合に物品として野球選手が踏んだベースを薄片にしたものを収納する場合があげられる。
【実施例２】
【００１９】
本発明の一実施例を図６〜１０に示している。
【００２０】
図６のトレーディングカード（Ｔ００）は、収納物品（Ｍ００）と開口部（Ｃ１３），（Ｃ２３）を有する中間カード用シート（Ｃ００）と窓（Ｓ１３），（Ｓ２３）を有する外側カード用シート（Ｓ００）から形成される。窓（Ｓ１３）と窓（Ｓ２３）の大きさと位置は一致する。
【００２１】
図７は、窓（Ｓ１３）を有する第１外側カード片（Ｓ１１）と窓（Ｓ２３）を有する第２外側カード片（Ｓ２１）が折り線（Ｓ３１）を介して連接され、前記第１外側カード片（Ｓ１１）の一方の面に接着面（Ｓ１２）と前記第２外側カード片（Ｓ２１）の一方の面に接着面（Ｓ２２）を有する外側カード用シート（Ｓ００）を用意する工程を示している。
【００２２】
図８は、外側カード用シート（Ｓ００）と略同サイズで、略中央に折り線（Ｃ３１）を有し、両面に接着面（Ｃ１１），（Ｃ１２），（Ｃ２１），（Ｃ２２）を有する中間カード用シート（Ｃ００）の前記接着面（Ｃ１１）と前記接着面（Ｃ２１）を有する面と外側カード用シートの前記接着面（Ｓ１２）と前記接着面（Ｓ２２）を接着する工程を示している。窓（Ｓ１３）を有する物品収納部（Ｂ１１）と窓（Ｓ２３）を有する物品収納部（Ｂ２１）が形成される。
略物品収納部と同サイズの物品（Ｍ００）は、物品収納部（Ｂ１１）または、物品収納部（Ｂ２１）に収納する。図３は、前記物品（Ｍ００）を物品収納部（Ｂ２１）に収納した例を示している。
【００２３】
図９は、折り線（Ｃ３１）で谷折して、前記接着面（Ｃ１２）と前記接着面（Ｃ２２）を接着した状態を示している。
【００２４】
図１０は、図９の折り線（Ｃ３１）付近の折り曲げ部分を切除して完成した実施例２のトレーディングカード（Ｔ００）の断面図を示している。なお、物品収納部に収納する前記物品（Ｍ００）は、前記外側カード用シート（Ｓ００）の絵柄と関連のあるものである。例えば、絵柄として、プロ野球選手の場合に物品として野球選手が踏んだベースを薄片にしたものを収納する場合があげられる。
【実施例３】
【００２５】
本発明の一実施例を図１１〜１５に示している。
【００２６】
図１１のトレーディングカード（Ｔ００）は、収納物品（Ｍ００）と開口部（Ｃ１３），（Ｃ２３）を有する中間カード用シート（Ｃ００）と窓（Ｓ１３），（Ｓ２３）を有する外側カード用シート（Ｓ００）から形成される。窓（Ｓ１３）と窓（Ｓ２３）の大きさと位置は一致しない。
【００２７】
図１２は、窓（Ｓ１３）を有する第１外側カード片（Ｓ１１）と窓（Ｓ２３）を有する第２外側カード片（Ｓ２１）が折り線（Ｓ３１）を介して連接され、前記第１外側カード片（Ｓ１１）の一方の面に接着面（Ｓ１２）と前記第２外側カード片（Ｓ２１）の一方の面に接着面（Ｓ２２）を有する外側カード用シート（Ｓ００）を用意する工程を示している。
【００２８】
図１３は、外側カード用シート（Ｓ００）と略同サイズで、略中央に折り線（Ｃ３１）を有し、両面に接着面（Ｃ１１），（Ｃ１２），（Ｃ２１），（Ｃ２２）を有する中間カード用シート（Ｃ００）の前記接着面（Ｃ１１）と前記接着面（Ｃ２１）を有する面と外側カード用シートの前記接着面（Ｓ１２）と前記接着面（Ｓ２２）を接着する工程を示している。窓（Ｓ１３）を有する物品収納部（Ｂ１１）と窓（Ｓ２３）を有する物品収納部（Ｂ２１）が形成される。
略物品収納部と同サイズの物品（Ｍ００）は、物品収納部（Ｂ１１）または、物品収納部（Ｂ２１）に収納する。図３は、前記物品（Ｍ００）を物品収納部（Ｂ２１）に収納した例を示している。
【００２９】
図１４は、折り線（Ｃ３１）で谷折して、前記接着面（Ｃ１２）と前記接着面（Ｃ２２）を接着した状態を示している。
【００３０】
図１５は、図９の折り線（Ｃ３１）付近の折り曲げ部分を切除して完成した実施例３のトレーディングカード（Ｔ００）の断面図を示している。なお、物品収納部に収納する前記収納物品（Ｍ００）は、前記外側カード用シート（Ｓ００）の絵柄と関連のあるものである。
【００３１】
実施例１から３で示した外側カード片の材料としては、王子製紙（株）  ＵＦコート、ＯＫボール、サンコート、レンゴー（株）  ＣＲＣ、北越製紙（株）  マリコート、日本大昭和板紙（株）  ＪＥＴスターなどの所謂コートボールや、三菱製紙（株）  ハイパール、北越製紙（株）  ハイクリーンコート、日本大昭和板紙（株）  リファイン、北越製紙（株）  Ｎｅｗ−ＤＶ、王子製紙  Ｎｅｗビジョン、ＰＣグリーン１００、日本大昭和板紙（株）  ＪＥＴエースなどの所謂マニラボールのカードを使用する。
【００３２】
実施例１から３で示した中間カード片の材料としては、前記外側カード片の材料と同様のものを使用するか、あるいは、チップボールを使用する。コートボールの厚みは、０．３５〜０．７９ミリほどあるので本発明で使用すると、０．７〜１．５８ミリほどの厚みのあるシート片を収納部に収納できる。中間カード片の厚みは、収納物品の半分ほどの厚みのものを選択すればよい。
【００３３】
実施例１から３で示した接着面（Ｓ１２），（Ｓ２２），（Ｃ１１），（Ｃ１２），（Ｃ２１），（Ｃ２２）に使用する接着剤は、通常トレーディングカードの製造に使用されている圧着タイプのものをそのまま使用しても良いし、その他の接着剤を使用しても良い。
【００３４】
実施例１から３で示した物品（Ｍ００）は、図に示すシート状のものが適するが、特に形状に限定はなく、物品収納部（Ｂ１１），（Ｂ２１）に収納でき、外側カード片より外側に突出しないものであればよい。
【図面の簡単な説明】
【００３５】
【図１】本発明の実施例１に係るトレーディングカードの一実施例を示す斜視図
【図２】本発明の実施例１に係るトレーディングカードの外側カード用シートの断面図
【図３】本発明の実施例１に係るトレーディングカードの一実施例を示す作成過程を示す分解断面図
【図４】本発明の実施例１に係るトレーディングカードの一実施例を示す折り曲げ部分切除前を示す断面図
【図５】本発明の実施例１に係るトレーディングカードの一実施例を示す断面図
【図６】本発明の実施例２に係るトレーディングカードの一実施例を示す斜視図
【図７】本発明の実施例２に係るトレーディングカードの外側カード用シートの断面図
【図８】本発明の実施例２に係るトレーディングカードの一実施例を示す作成過程を示す分解断面図
【図９】本発明の実施例２に係るトレーディングカードの一実施例を示す折り曲げ部分切除前を示す断面図
【図１０】本発明の実施例２に係るトレーディングカードの一実施例を示す断面図
【図１１】本発明の実施例３に係るトレーディングカードの一実施例を示す斜視図
【図１２】本発明の実施例３に係るトレーディングカードの外側カード用シートの断面図
【図１３】本発明の実施例３に係るトレーディングカードの一実施例を示す作成過程を示す分解断面図
【図１４】本発明の実施例３に係るトレーディングカードの一実施例を示す折り曲げ部分切除前を示す断面図
【図１５】本発明の実施例３に係るトレーディングカードの一実施例を示す断面図
【符号の説明】
【００３６】
Ｔ００  トレーディングカード
Ｓ００  外側カード用シート
Ｓ１１  第一外側カード片
Ｓ２１  第二外側カード片
Ｓ１２，Ｓ２２  接着面
Ｓ１３，Ｓ２３  窓
Ｓ３１  中心線
Ｃ００  中間カード用シート
Ｃ１１，Ｃ１２，Ｃ２１，Ｃ２２  接着面
Ｃ１３，Ｃ２３  開口部
Ｃ３１  中心線
Ｂ１１，Ｂ２１  物品収納部
Ｍ００  物品
【図１】
2008080705.tif 000003
【図２】
2008080705.tif 000004
【図３】
2008080705.tif 000005
【図４】
2008080705.tif 000006
【図５】
2008080705.tif 000007
【図６】
2008080705.tif 000008
【図７】
2008080705.tif 000009
【図８】
2008080705.tif 000010
【図９】
2008080705.tif 000011
【図１０】
2008080705.tif 000012
【図１１】
2008080705.tif 000013
【図１２】
2008080705.tif 000014
【図１３】
2008080705.tif 000015
【図１４】
2008080705.tif 000016
【図１５】
2008080705.tif 000017